(57)【要約】【課題】スノーボードブーツを簡単かつ確実に装着できるスノーボードビンディングを提供すること。【解決手段】基部部材、前方ビンディング部材、後方ビンディング部材、前方当接部分および後方当接部分を含むスノーボードビンディングを提供する。前方ビンディング部材は、基部部材の前方部分に連結され、後方ビンディング部材は、基部部材の後方部材に連結される。この前方および後方ビンディング部材は、スノーボードブーツの前方および後方クリートと係合可能に設けられている。前方当接部分は、基部部材の前方部分から上向きに延び、前方ビンディング部材を横方向に支持し、後方当接部分は、基部部材の後方部分から上向きに延び、後方ビンディング部材を横方向に支持する。【選択図】      図１
2004230161.tif 000002
【特許請求の範囲】
【請求項１】
前方部分と、後方部分と、前記前方部分と前記後方部分との間に配置されスノーボードに装着できるように構成された中央装着領域を有する中央部分とを含み、前記前方部分と前記後方部分との間に長手方向軸を有するベース部材と、
前記ベース部材の前記前方部分に連結され、スノーボードブーツの前方クリートが係合可能な前方ビンディング部材と、
前記ベース部材の前記後方部分に連結され、スノーボードブーツの後方クリートが係合可能な後方ビンディング部材と、
前記ベース部材の前記前方部分から上向きに延びて設けられ、前記前方ビンディング部材を横方向に支持する前方当接部分と、
前記ベース部材の前記後方部分から上向きに延びて設けられ、前記後方ビンディング部材を横方向に支持する後方当接部分と、
を含むスノーボードビンディング。
【請求項２】
前記前方当接部分および後方当接部分が単一部材として前記ベース部材と一体形成されている、請求項１に記載のスノーボードビンディング。
【請求項３】
前記前方ビンディング部材が上向きに延びる前方ビンディングプレートを含み、
前記前方当接部分が、前記前方ビンディング部材を横方向に支持するために、前記前方ビンディングプレートを収容する前方スロットを含む、
請求項１に記載のスノーボードビンディング。
【請求項４】
前記後方ビンディング部材が上向きに延びる後方ビンディングプレートを含み、
前記後方当接部分が、前記後方ビンディング部材を横方向に支持するために、前記後方ビンディングプレートを収容する後方スロットを含む、請求項３に記載のスノーボードビンディング。
【請求項５】
前記前方スロットおよび後方スロットが、前記ベース部材の長手方向軸に実質的に平行な長手方向に延びるスロットである、請求項４に記載のスノーボードビンディング。
【請求項６】
前記ベース部材が、その下面に形成された前方凹部を含み、
前記前方ビンディング部材が、前記前方凹部内に収容される前方装着プレートを含む、
請求項３に記載のスノーボードビンディング。
【請求項７】
前記前方装着プレートが前記ベース部材の下面に実質的に平行な底面を有する、請求項６に記載のスノーボードビンディング。
【請求項８】
前記前方ビンディング部材が２つの部材で形成されている、請求項６に記載のスノーボードビンディング。
【請求項９】
前記前方ビンディング部材が、前記前方ビンディングプレートの上方自由端に形成され、かつ前記前方当接部分の上方に上向きに延びる移動不能型の前方爪を含む、請求項３に記載のスノーボードビンディング。
【請求項１０】
前記後方ビンディング部材が上向きに延びる後方ビンディングプレートを含み、
前記後方当接部分が、前記後方ビンディング部材を横方向に支持するために、前記後方ビンディングプレートを収容する後方スロットを含む、請求項１に記載のスノーボードビンディング。
【請求項１１】
前記ベース部材が、その下面に形成された後方凹部を含み、
前記後方ビンディング部材が、前記後方凹部内に収容される後方装着プレートを含む、
請求項１０に記載のスノーボードビンディング。
【請求項１２】
前記後方装着プレートが前記ベース部材の下面に実質的に平行な底面を有する、請求項１１に記載のスノーボードビンディング。
【請求項１３】
前記後方ビンディング部材が、前記後方装着プレートおよび前記後方ビンディングプレートをそれぞれが形成する２つの部材を含む、請求項１１に記載のスノーボードビンディング。
【請求項１４】
前記後方ビンディングプレートが、横方向に離れて位置する２つのビンディング部分から形成されている、請求項１３に記載のスノーボードビンディング。
【請求項１５】
前記後方ビンディング部材が、前記後方ビンディングプレートに連結された可動型後方爪を含む、請求項１０に記載のスノーボードビンディング。
【請求項１６】
前記前方当接部分と後方当接部分との間に設けられ、前記ベース部材から上向きに延び、前記中央装着領域を実質的に取囲んでいる中央リブ部分をさらに含む、請求項１に記載のスノーボードビンディング。
【請求項１７】
前記前方当接部分が、少なくとも部分的に前記中央装着領域の頂部装着面の上方に配置され、横方向に離れて位置する１対の前方当接面を含む、請求項１６に記載のスノーボードビンディング。
【請求項１８】
前記後方当接部分が、少なくとも部分的に前記中央装着領域の頂部装着面の上方に配置され、横方向に離れて位置する１対の後方当接面を含む、請求項１６に記載のスノーボードビンディング。
【請求項１９】
前記中央リブ部分が、前記中央装着領域の頂部装着面から上方に離れて位置する上面を含む、請求項１６に記載のスノーボードビンディング。
【請求項２０】
前記中央リブ部分が、前記中央装着領域の横方向対向側部に位置する１対の平坦な上面部分を含む、請求項１６に記載のスノーボードビンディング。
【請求項２１】
前記前方当接部分、前記後方当接部分および前記中央リブ部分が、単一部材として前記ベース部材と一体形成されたリブ構造体の一部を形成している、請求項１６に記載のスノーボードビンディング。
【請求項２２】
前記前方当接部分が、少なくとも部分的に前記中央装着領域の頂部装着面の上方に配置され、横方向に離れて位置する１対の前方当接面を含み、
前記後方当接部分が、少なくとも部分的に前記中央装着領域の前記頂部装着面の上方に配置され、横方向に離れて位置する１対の後方当接面を含む、
請求項１に記載のスノーボードビンディング。
【請求項２３】
前記中央装着領域が装着開口部を含み、前記装着開口部に、スノーボードに装着可能な調節ディスクが調節自在に連結されている、請求項１に記載のスノーボードビンディング。
【請求項２４】
前記前方および後方当接部分がそれぞれ、前記ベース部材の上面に装着された別個の部材である、請求項１に記載のスノーボードビンディング。
【請求項２５】
前記前方当接部分が、前記ベース部材の上面に装着された別個の１部材である、請求項１に記載のスノーボードビンディング。
【請求項２６】
前記前方ビンディング部材が、２つの部材から形成されている、請求項２５に記載のスノーボードビンディング。
【請求項２７】
前記前方当接部分が、その下面に形成された前方凹部を含み、
前記前方ビンディング部材が、前記ベース部材の上面に装着され、前記前方凹部内に配置される前方装着プレートを含む、
請求項２５に記載のスノーボードビンディング。
【請求項２８】
前記後方当接部分が、前記ベース部材の上面に装着された別個の１部材である、請求項１に記載のスノーボードビンディング。
【請求項２９】
前記ベース部材が、所定形状の１つのプレートである、請求項２４、２５または２８に記載のスノーボードビンディング。
【請求項３０】
前記後方ビンディング部材が、前記ベース部材の上面に装着される後方装着プレート部分と前記後方装着プレートから上向きに延びる後方ビンディングプレート部分とをそれぞれ形成している２つの部材を含む、請求項２８に記載のスノーボードビンディング。
【請求項３１】
前記後方当接部分は、その下面に形成された後方凹部を含み、
前記後方ビンディング部材が、前記ベース部材の上面に装着され、前記後方凹部内に配置される後方装着プレートを含む、
請求項２８に記載のスノーボードビンディング。
【発明の詳細な説明】
【技術分野】
【０００１】
本発明は、スノーボードビンディング、特に、スノーボードブーツを簡単かつ確実に装着できるスノーボードビンディングに関する。
【背景技術】
【０００２】
近年、スノーボードは、大変人気のあるウィンタースポーツとなっている。実際、日本の長野で開催された冬期オリンピックでは正式競技として採用された。スノーボードは、乗り手が雪の斜面を滑降するという点でスキーに似ており、その板は、サーフボードを小さくしたもの、または車輪のない大型スケートボードと大体同じ形状をしている。スノーボーダーは、スノーボードの長手方向軸をほぼ横断する向きに両足を載せた状態で、スノーボード上に立つ。その際、スノーボーダーは、スキーと同様、特殊ブーツを履き、これをビンディング機構でスノーボードに固着する。言い換えれば、スキーとは違い、スノーボーダーは、両足を前後させて１枚のスノーボード板に固定する。また、スキーとは違い、スノーボードは、ストックを使用しない。
【０００３】
スノーボードは、動作のバランスとコントロールとを必要とするスポーツである。スノーボーダーは、下降斜面を降りる際、スノーボードを移動させる方向をコントロールするために、さまざまな方向に体を傾斜させる。具体的に言えば、スノーボーダーが体を傾けたら、スノーボードをコントロールし続けるために、その動作がスノーボーダーのブーツからスノーボードに伝達されなければならない。例えば、スノーボーダーが後方に体をそらせたら、その動作により、スノーボードは傾斜してその方向にターンする。同様に、スノーボーダーが前かがみになれば、スノーボードはこれに対応して傾斜してその方向にターンするという具合である。
【０００４】
一般に、スノーボードというスポーツは、アルペンとフリースタイルとの２つに分類できる。アルペンでは、アルペンスキーに従来使用されているものと同様のハードブーツが着用され、これが、スノーボードに取付けられている所謂ハードビンディングに嵌め込まれる。これはアルペンスキーブーツ用ビンディングに似たビンディングである。一方、フリースタイルでは、日常履くブーツやその変形ブーツと同様のソフトブーツが通常着用され、所謂ソフトビンディングに嵌め込まれる。
【０００５】
どちらの場合も、乗り手が履いているブーツが、体の傾斜をスノーボードに伝達できるだけの十分な剛性を備えていることが重要である。さらに、ビンディング機構がブーツをスノーボードにしっかり連結して、乗り手が常にスノーボードを正確にコントロールできるようにしておくことも重要である。しかし、通常のスノーボードビンディングシステムは、製造、組立てが難しく、費用がかかる上、乗り手が、そのスノーボードへの係合、解除を面倒あるいは難しく感じる恐れがある。また、通常のスノーボードビンディングシステムでは、乗り手に不快感を与える場合もある。
【特許文献１】米国特許第５７０４１３９号公報
【特許文献２】米国特許第６０９９０１８号公報
【特許文献３】米国特許第６２０６４０２号公報
【特許文献４】米国特許第６３０２４２８号公報
【特許文献５】米国特許第６４６７７９５号公報
【発明の開示】
【発明が解決しようとする課題】
【０００６】
上記を鑑みると、従来技術における上述した課題を克服したスノーボードビンディングが必要である。本発明は、当該技術におけるこうした要望ならびに、当業者であれば本開示内容から明白となる他の要望に応えるものである。
【０００７】
本発明の１つの目的は、スノーボードビンディングとスノーボードブーツとの間における横方向の安定性を高めるスノーボードビンディングを提供することである。
【０００８】
本発明のもう１つの目的は、比較的簡単で、安価に製造、組立てができるスノーボードビンディングを提供することである。
【０００９】
本発明のもう１つの目的は、乗り手による係合、解除が比較的簡単なスノーボードビンディングを提供することである。
【００１０】
本発明のさらに別の目的は、乗り手にとって快適かつ安全なスノーボードビンディングを提供することである。
【課題を解決するための手段】
【００１１】
上記目的は基本的に、ベース部材と、前方ビンディング部材と、後方ビンディング部材と、前方当接部分と、後方当接部分とを含むスノーボードビンディングを提供することにより達成できる。ベース部材は、前方部分、後方部分、および前方部分と後方部分との間に位置する中央部分とを有し、前方部分と後方部分との間に長手方向軸が延在している。中央部分には、スノーボードに装着するように構成された中央装着領域が設けられている。前方ビンディング部材は、ベース部材の前方部分にてベース部材に連結されて、スノーボードブーツの前方クリートを係合可能に設けられている。後方ビンディング部材は、ベース部材の後方部分にてベース部材に連結されて、スノーボードブーツの後方クリートを係合可能に設けられている。前方当接部分は、ベース部材の前方部分から上向きに延び、前方ビンディング部材を横方向に支持する部分であり、後方当接部分は、ベース部材の後方部分から上向きに延び、後方ビンディング部材を横方向に支持する部分である。
【００１２】
以上のみならず、本発明の他の目的、特徴、態様および利点が、添付の図面と併せて本発明の好適実施形態を開示する以下の詳述から当業者には明白になるであろう。
【発明の効果】
【００１３】
以上のような本発明では、スノーボードビンディングとスノーボードブーツとの間における横方向の安定性を高めることができる。
【発明を実施するための最良の形態】
【００１４】
［第１実施形態］
まず図１を参照すると、本発明の第１実施形態によるスノーボードビンディングシステム１０が例示されている。このスノーボードビンディングシステム１０は基本的に、スノーボードビンディング１２とスノーボードブーツ１４とを含む。スノーボードビンディング１２は、調節ディスク１８および複数のビスまたはネジ２０により、スノーボード１６の頂面または上面に装着される。この図では、スノーボード１６の長手方向軸を中心線Ｘとして示し、スノーボードビンディング１２の長手方向軸を中心線Ｙとして示し、スノーボードブーツ１４の長手方向軸を中心線Ｚとして示している。スノーボードビンディング１２を、好ましくは、従来通り調節ディスク１８によりスノーボード１６に調節自在に連結する。具体的に言えば、スノーボードビンディング１２は、ビス２０を緩めることで、調節ディスク１８およびスノーボード１６に対してその角度を自由に調節することができるようになっている。無論、必要および／または所望に応じて、スノーボードビンディング１２をスノーボード１６に直接装着することも可能である。
【００１５】
当業者であれば本開示内容から、乗り手が両足をスノーボード１６に固定することができるように、１枚のスノーボード１６について２つのスノーボードビンディングシステム１０を使用することが明白であろう。しかし、本明細書では便宜上、１つのスノーボードビンディングシステム１０についてのみ説明および／または例示する。また、当業者には開示内容から、スノーボードビンディング１２をスノーボード１６に装着する方法は何通りもあることを理解されたい。言い換えれば、本開示内容ではスノーボードビンディング１２をスノーボード１６に装着するための好適機構（すなわち、調節ディスク１８およびネジ２０）について説明するが、本発明は、具体的実施方法のいずれにも限定されるものではない。
【００１６】
次に図１および図２を参照すると、スノーボードビンディング １２は基本的に、ベース部材２２、前方ビンディング部材または機構２４、後方ビンディング部材または機構２６、ヒールカップ２８およびハイバック３０を含む。スノーボードビンディング１２に連結された時点でハイバック３０がスノーボードブーツ１４に前方傾斜力を与えることができるように、ヒールカップ２８およびハイバック３０を、好ましくは、従来通りベース部材２２に調節自在に連結する。これらのヒールカップ２８およびハイバック３０は、従来と同様であるため、本明細書では、その詳細な説明および／または例示を省略する。
【００１７】
ベース部材２２は基本的に、図３〜図５で最もよくわかるように、前方部分３２、後方部分３４、前方部分３２と後方部分３４との間に位置する中央部分３６、および１対の側部装着部材３８を含む。好ましくは、ベース部材２２に、これと一体形成したリブ構造体４０（図１参照）を設ける。リブ構造体４０は、以下で説明するように、ベース部材２２から上向きに延出して、ベース部材２２を有効に厚くするものである。
【００１８】
好ましくは、前方部分３２、後方部分３４、中央部分３６、側部装着部材３８およびリブ構造体４０を、金属材料などの比較的軽量の剛性材料で単一部材として一体形成する。例えば、ベース部材２２をアルミニウムまたはアルミニウム合金で製造することができる。この実施形態では、ベース部材２２を単一部材として鋳造する。無論、後述する実施形態のように、ベース部材２２の主要本体をスタンピングや曲げ加工により形成し、数ピースとして製造することも可能である。別の実施形態では、好ましくは、ベース部材２２を、金属シート材料を曲げ加工して形成する。しかし、当業者であれば本開示内容から、ベース部材２２の製造方法として、適した製造技術であればいずれを用いることも可能であり、種々の金属ならびに硬質プラスチック、カーボンまたは金属／カーボンの組み合わせなどの適した硬質剛性材料であればいずれを用いて形成してもよいことが明白であろう。
【００１９】
スノーボードビンディング１２の長手方向中心線Ｙは、ベース部材２２の前方部分３２と後方部分３４との間に延在している。ベース部材２２にはまた、好ましくは、上面２３ａおよび下面２３ｂを具備させる。下面２３ｂは上面２３ａに実質的に平行とする。
【００２０】
図３、図５、図６および図９を参照すると、ベース部材２２の前方部分３２は基本的に、前方リブまたは当接部分４２と、前方凹部４４と、前方スロット４６とを含む。前方当接部分４２は、前方ビンディング部材２４を横方向に支持するものであり、前方部分３２の上面２３ａから上向きに延出するリブ構造体４０の一部となっている。前方凹部４４および前方スロット４６は、前方ビンディング部材または機構２４をベース部材２２の前方部分３２に装着するように構成されている。前方当接部分４２は、上面２３ａから上向きに延出して、前方スロット４６を実質的に取り囲んでいる。
【００２１】
基本的に、ベース部材２２の前方端部では、前方スロット４６により、前方当接部分４２が、横方向に離れて位置し、少なくとも部分的に中央装着領域の頂部装着面より上に位置する１対の前方当接面４２ａおよび４２ｂに分けられている。前方スロット４６の横方向側部に位置するこの前方当接面４２ａおよび４２ｂを、好ましくは階段状にする。言い換えれば、ベース部材２２の前方端部において、前方当接部分４２の上面を好ましくは階段状にする。このため、前方当接部分４２の上面を、好ましくは、ベース部材２２の下面２３ｂから約１２.０ｍｍの高さに設定し、前方階段領域では、前方当接部分４２の上面をベース部材２２の下面２３ｂから約８.０ｍｍの高さとする。この構造により、スノーボードブーツ１４の一部を中に収容するクリート収容領域が形成される。こうして、以下でさらに詳細に説明するように、前方ビンディング部材または機構２４が前方部分３２に装着されると、スノーボードブーツ１４の一部をスノーボードビンディング１２に連結できる構造が得られる。
【００２２】
前方凹部４４の厚さを、好ましくは、前方ビンディング部材または機構２４の一部に対応させる。また、前方凹部４４の形状を、好ましくは、底面から見てわかるように（図６）、前方ビンディング部材２４の一部の形状に対応させる、または少なくとも実質的に対応させる。言い換えれば、前方ビンディング部材２４がベース部材２２にまだ装着する前でも、前方ビンディング部材２４が、好ましくは、ベース部材２２の前方部分３２に対して横方向および長手方向に移動できないようにする。さらに、前方ビンディング部材２４の一部を前方凹部４４に収容した段階で、好ましくは、この前方ビンディング部材２４部分の位置を底面２３ｂに平行にする。
【００２３】
好ましくは、複数（４つ）の階段状の穴４８を、前方ビンディング部材２４を前方凹部４４および前方スロット４６内に取付けた時点で前方ビンディング部材２４の穴と整合するように、前方当接部分４２に設ける。これについても以下で詳細に述べる。具体的に言えば、好ましくは、穴４８の２つが長手方向中央線Ｙの片側に位置し、他の２つが長手方向中央線Ｙのもう一方の側に位置するように、複数の穴４８を設ける。
【００２４】
図３、図５、図７および図１０を参照すると、ベース部材２２の後方部分３４は基本的に、後方リブまたは当接部分５２と、後方凹部５４と、後方スロット５６とを含む。後方当接部分５２は、ベース部材２２の後方部分３４から上向きに延出して、後方ビンディング部材または機構２６を横方向に支持するものである。ベース部材２２の後方部分３４は前方部分３２に類似しているが、後方ビンディング部材または機構２６部分を収容できるように、その幅が前方スロット４６の幅より実質的に広くなっている。前方および後方スロット４６および５６は、ベース部材２２の長手方向軸Ｙに実質的に平行な、長手方向に延在するスロットである。また、後方ビンディング機構２６部分を収容するように、後方スロット５６の長手方向における長さを、前方スロット４６の長さより長くする。具体的に言えば、後方スロット５６の幅を好ましくは約１２.０ｍｍとし、前方スロット４６の幅を好ましくは約４.０ｍｍとする。
【００２５】
後方当接部分５２も前方当接部分４２に類似しているが、後方当接部分５２は、ベース部材２２の上方および下面２３ａおよび２３ｂに対して傾斜している。また、後方当接部分５２には、ベース部材２２の下面２３ｂから上方に離れて位置する上面が設けられている。後方当接部分５２の傾斜した上面を、好ましくは、ベース部材２２の下面２３ｂから約１６.０ｍｍ〜約２２.０ｍｍの高さとする。好ましくは、後方当接部分５２の傾斜した上面と他の部分との間に湾曲した移行部分を設ける。
【００２６】
ベース部材２２の後方端部では、後方スロット５６により、後方当接部分５２が、横方向に離れて位置し、少なくとも部分的に中央装着領域の頂部装着面より上に位置する１対の後方当接面５２ａおよび５２ｂに分けられている。後方当接面５２ａおよび５２ｂはそれぞれ、中心長手方向軸Ｙの横方向に対向する側部上に位置している。複数（４つ）の穴５８が、後方ビンディング機構２６を装着するように後方当接部分５２に設けられている。ベース部材２２の前方部分３２の場合と同様に、後方の穴５８も好ましくは階段状にして、後方ビンディング機構２６のビスを収容できるようにする。具体的に言えば、好ましくは、穴５８の２つが長手方向中央線Ｙの片側に位置し、他の２つが長手方向中央線Ｙのもう一方の側に位置するように、複数の穴５８を設ける。
【００２７】
後方凹部５４は、後方ビンディング機構２６を横方向および長手方向に移動させないように、後方ビンディング機構２６を収容する形状となっている点で前方凹部４４と同様である。また、後方凹部５４の厚さは、以下でさらに詳細に説明するように、ここに収容される後方ビンディング機構２６部分の厚さに対応しているため、後方ビンディング機構２６はベース部材２２の下面２３ｂと平行になる。
【００２８】
次に図１〜図３、図５および図８を見ると、ベース部材２２の中央部分３６は基本的に、中央装着開口部６０と中央リブ部分６２とを含む。中央装着開口部６０は、ベース部材２２をスノーボード１６に調節自在に連結するように、従来通り調節ディスク１８を収容する構造になっている。したがって、ベース部材２２の中央部分３６には、中央装着開口部６０を形成した中央装着領域が含まれている。
【００２９】
中央リブ部分６２は、実質的に中央装着開口部６０の周囲に形成されており、前方当接部分４２と後方当接部分５２との間に位置して、ベース部材２２の上面２３ａから上向きに延出している。言い換えれば、中央装着領域の鋸歯状頂部装着面が、中央装着開口部６０を構成し、ベース部材２２の上面２３ａの上方に離れて位置しており、中央リブ部分６２は、その鋸歯状頂部装着面から上方に離れて位置する上面を含む。具体的に言えば、中央リブ部分６２は、中央装着開口部６０の前方領域周囲に延在して傾斜している前方移行リブ構成要素６４ａを具備している。同様に、傾斜した後方移行リブ構成要素６４ｂが、中央装着開口部６０の後方領域周囲に延在している。また、中央装着開口部６０の横方向両側部にそれぞれ横方向側部リブ構成要素６４ｃが設けられている。これは、前方移行リブ構成要素６４ａと後方移行リブ構成要素６４ｂとの間で前方から後方へと延在している。
【００３０】
横方向側部リブ構成要素６４ｃには、好ましくは、ベース部材２２の下面２３ｂから約９.０ｍｍの高さで平坦な上面を設ける。好ましくは、この横方向側部リブ構成要素６４ｃから、前方移行リブ構成要素６４ａおよび６４ｂを、ベース部材２２の上面２３ａまで下向きに延在させる。また、移行リブ構成要素６４ａおよび６４ｂをそれぞれ、前方および後方リブ部分４２および５２まで上向きに延在させる。こうすることにより、好ましくは、中央リブ部分６２の上面から上面２３ａまでの距離を、前方リブ部分４２の上面最上部および後方リブ部分５２の上面全体から上面２３ａまでの距離より短くする。また、後方当接部分５２を、好ましくは、前方当接部分４２より上面２３ａからさらに上向きに延出させる。こうすると、前方当接部分４２、後方当接部分５２および中央リブ部分６２により、多段状で起伏のあるリブ構造体４０が形成される。リブ構造体４０は、多段状であるだけでなく、移行リブ構成要素６４ａおよび６４ｂの傾斜した上面と、リブ構成要素６４ａおよび６４ｂと前方および後方リブ部分４２および５２との間で湾曲した移行領域とを含んでいる。リブ構造体４０を、好ましくは、スノーボードブーツ１４部分と選択的に接触するように構成する。また、リブ構造体４０を、好ましくは、単一部材としてベース部材２２と一体形成する。このような構造により、ベース部材２２の強度／剛性を高めることができると同時に、スノーボードビンディングシステム１０の輪郭を低く抑えることができる。
【００３１】
側部装着部分３８のそれぞれに、好ましくは、複数の装着穴６６と、第１の（前方側）リブ構成要素６８ａと、第２の（後方側）リブ構成要素６８ｂとを設ける。さらに、側部装着部分３８の一方に、ベース部材２２の切抜きまたは凹部５９と連通する開口部６９を設けて、後方ビンディング機構２６の一部をその中に収容できるようにする。側部装着部分３８を、好ましくは、ベース部材２２の上面２３ａおよび下面２３ｂに対して実質的に直角に延在させる。しかし、側部装着部分３８の第１および第２の側部リブ構成要素６８ａおよび６８ｂは、中心長手方向軸Ｙに向けて内側に突出して、側部装着部分３８間に位置する領域の有効間口を事実上狭めている。この第１および第２の側部リブ構成要素６８ａおよび６８ｂは、スノーボードブーツ１４のボール部分における側部と踵部分とにそれぞれ接触して、ブーツ１４を横方向に移動しないよう固定保持するように配置および構成された部分である。したがって、前方および後方ビンディング部材２４および２６と前方および後方係止部分１４６および１４８との間に横方向の遊びがあっても（例えば、これらの部品の横方向寸法差により）、ブーツは横方向に移動することはない。また、第１および第２の側部リブ構成要素６８ａおよび６８ｂにより、ベース部材２２が補強されるため、その強度が高められる。
【００３２】
ヒールカップ２８は、穴６６を利用して従来通り側部装着部分３８に連結される。好ましくは、穴６６の配置を考慮して、ヒールカップ２８をベース部材２２に調節自在に連結できるようにする。同様に、上述したように、ハイバック３０を従来通りヒールカップ２８に連結する。ヒールカップ２８およびハイバック３０は本発明に重要な構成要素ではないため、本明細書ではこれらの詳細な説明を省略する。
【００３３】
次に図１１〜図１４を参照しながら、前方ビンディング部材または機構２４について詳細に説明する。上述したように、前方ビンディング部材２４は、ベース部材２２の前方部分３２にてベース部材２２に連結される。前方ビンディング部材２４は、以下に説明するスノーボードブーツ１４の前方クリート１４６（図２参照）を選択的に係合するように配置および構成されている。
【００３４】
具体的に言えば、前方ビンディング部材２４は、前方当接部分４２内に形成されている前方凹部４４および前方スロット４６の位置にて、ベース部材２２の前方部分３２の下面に装着される。さらに具体的に言えば、前方ビンディング部材２４は基本的に、前方装着プレート７０と、前方ビンディングプレート７２と、移動不能な前方爪７４とを含んでいる。前方ビンディング部材２４がベース部材２２に固定されると、前方爪７４が、前方当接部分４２の上方にて上向きに延出した状態で、ベース部材２２に移動不能な状態で保持される。前方爪７４およびビンディングプレート７２が、クリート収容スロット７７を構成する。このスロット７７は、以下で説明するスノーボードブーツ１４の後方係止部分１４８が後方ビンディング機構２６に係合しない場合であっても前方係止部分１４６を一時的に保持する（例えば長手方向移動および垂直方向移動に対して）寸法となっている。
【００３５】
好ましくは、前方ビンディング部材２４を、互いに鏡像関係である２つ（第１および第２）の前方ビンディング片２４ａおよび２４ｂで形成する。第１の前方ビンディング片２４ａは、前方装着部分７１ａと、前方ビンディング部分７３ａと、前方爪部分７５ａとを含み、第２の前方ビンディング片２４ｂは、前方装着部分７１ｂと、前方ビンディング部分７３ｂと、前方爪部分７５ｂとを含む。この前方ビンディングの構成により、前方ビンディング部材２４の前方ビンディング片２４ａおよび２４ｂそれぞれを、長手方向軸Ｙ方向から見ると実質的にＬ字型である部材を形成するように、曲げ加工により形成することができる。前方ビンディング部材２４の前方ビンディング片２４ａおよび２４ｂそれぞれを好ましくは、金属材料などの硬質剛性材料で形成する。その方法として、好ましくは、まずシート金属などのシート材料片を機械加工、鋳造またはパンチングして、所望形状の平坦な一片を形成し、次に、この一片を折り曲げて、図１２〜図１４に示すような形状にする。
【００３６】
前方ビンディング部材２４の前方ビンディング片２４ａおよび２４ｂには、２つの先細り貫通穴７６ａおよび７６ｂがそれぞれ形成されている。これらの穴は、前方部分３２の前方穴４８と整合するように構成されている。したがって、ビス７８を用いて、前方ビンディング部材２４の前方ビンディング片２４ａおよび２４ｂを前方部分３２に装着することができる。例示した実施形態では、ビス７８のそれぞれに、好ましくは、ナットおよびボルトを含めて、前方ビンディング部材２４をベース部材２２に交換自在に連結できるようにする。
【００３７】
前方ビンディング部材２４を、好ましくは、２片で形成することから、装着部分７１ａと７１ｂとで装着プレート７０とし、ビンディング部分７３ａと７３ｂとでビンディングプレート７２とする。同様に、前方爪部分７５ａと７５ｂとで前方爪７４とする。前方ビンディング部材２４の前方ビンディング片２４ａおよび２４ｂの厚さを、好ましくは、それぞれ約２.０ｍｍとする。したがって、ビンディング部分７３ａと７３ｂとが接触し合い、前方爪部分７５ａと７５ｂとが接触し合うと、厚さ約４.０ｍｍの、垂直に延在する前方ビンディングプレート７２が形成される。同様に、前方爪部分７５ａと７５ｂとが接触し合うと、厚さ約４.０ｍｍの前方爪７４が形成される。
【００３８】
前方ビンディング部材２４の前方ビンディングプレート７２の厚さは、実質的に、ベース部材２２の前方スロット４６の幅に相当する。この構造により、前方ビンディング部材２４は、前方当接部分４２の前方当接面４２ａおよび４２ｂに包囲されて、横方向移動をしないように固定される。前方ビンディング部材２４のビンディングプレート７２（前方装着部分７１ａおよび７１ｂ）の周囲面は、前方凹部４４の周囲形状に対応する形状である。したがって、前方ビンディング部材２４がビス７８でベース部材２２に連結されると、前方ビンディング部材２４は、ベース部材２２に対して横方向移動および長手方向移動をしないように固定される。
【００３９】
次に図１５〜１７、図２６および図２７を参照しながら、後方ビンディング部材または機構２６について詳細に説明する。後方ビンディング機構２６は基本的に、取付け部材８０（第１および第２の取付け部材８０ａおよび８０ｂ）と、係止部材またはプレート８２と、ラッチ部材またはプレート８４と、付勢部材８６と、解放レバー８８と、保護カバー８９とを含む。付勢部材８６は基本的に、第１の付勢ピン８６ａと、第２の付勢ピン８６ｂと、１対のコイル状引張バネ８６ｃとを含む。基本的に、後方ビンディング機構２６は、ベース部材２２の後方部分３４にてベース部材２２に装着され、以下で述べるように、スノーボードブーツ１４の後方クリート１４８を選択的に係合するように配置および構成されている。
【００４０】
さらに具体的に言えば、後方ビンディング機構２６は、これが後方当接部分５２により横方向に支持されるように、ベース部材２２の後方当接部分５２に装着される。すなわち、取付け部材８０ａおよび８０ｂが、ベース部材２２の後方部分３４および後方当接部分５２内に形成されている後方凹部５４および後方スロット５６内にて後方部分３４に装着される。具体的に言えば、ビス７８の４つを使用して、後方ビンディング部材２６の取付け部材８０ａおよび８０ｂを後方部分３４に装着する。例示した実施形態では、ビス７８それぞれに、ナットおよびボルトを含めて、後方ビンディング部材２６をベース部材２２に交換自在に連結する。
【００４１】
次に図１８〜図２５を参照すると、係止プレート８２が、係止回動軸Ａを中心に回転するように、取付け部材８０ａおよび８０ｂに回動自在に取付けられ、取付け部材８０ａおよび８０ｂにより横方向に支持されている。ラッチプレート８４も、係止ラッチ軸Ｂを中心に回転するように、取付け部材８０ａおよび８０ｂに回動自在に取付けられ、取付け部材８０ａおよび８０ｂにより横方向に支持されている。図１６および図１７でわかるように、付勢部材８６は、係止プレート８２を複数位置から選択された位置に保持するように、常時ラッチプレート８４を付勢して係止プレート８２と係合させている。図１、図１６および図１７でわかるように、解放レバー８８は、ラッチ部材８４に連結されており、ラッチプレート８４を係止プレート８２との係合状態から外すように、ラッチプレート８４を付勢部材８６の付勢力に対向して移動させるものである。
【００４２】
図１６、図２６および図２７を参照すると、取付け部材８０ａおよび８０ｂの形状を、好ましくは、中心線Ｙに沿って見て、互いに鏡像関係であるＬ字型とする。取付け部材８０ａおよび８０ｂそれぞれを、好ましくは、金属材料などの硬質剛性材料で製造する。その方法として、まずシート金属などのシート材料片を機械加工、鋳造またはパンチングして、所望形状の平坦なプレート部材として形成し、次に、この平坦形状を、図１６、図１７、図２６および図２７に例示した取付け部材８０ａおよび８０ｂのＬ字型形状に曲げ加工する。取付け部材８０ａおよび８０ｂそれぞれの厚さを、好ましくは、約２.０ｍｍとする。
【００４３】
取付け部材８０ａおよび８０ｂが、後方装着プレート９０、上向きに延出する後方ビンディングプレート９２および固定ガイド部材９４を形成している。具体的に言えば、取付け部材８０ａは、装着部分９０ａ、ビンディング部分９２ａおよびガイド部分９４ａを含み、取付け部材８０ｂは、装着部分９０ｂ、ビンディング部分９２ｂおよびガイド部分９４ｂを含む。したがって、装着部分９０ａおよび９０ｂが後方装着プレート９０を形成し、ビンディング部分９２ａおよび９２ｂが後方ビンディングプレート９２を形成し、ガイド部分９４ａおよび９４ｂが固定ガイド部材９４を形成している。
【００４４】
後方装着プレート９０は、後方当接部分５２にてベース部材２２の下面２３ｂに形成された項凹部５４内に収容される。上向きに延出している後方ビンディングプレート９２は、ビンディング部分９２ａと９２ｂとの間に空間を形成した状態で、後方当接部分５２の後方スロット５６内に配置される。横方向に離れて位置する後方当接面５２ａおよび５２ｂが、横方向に後方ビンディング２６を支持する。具体的に言えば、後方当接面５２ａおよび５２ｂが、以下で詳述するように、後方ビンディング２６の中央部分と選択的に接触することにより、後方ビンディング２６を直接横方向に支持している。別法として、以下で詳述するように、後方ビンディング機構２６の特定の可動部品（例えば係止プレート８２およびラッチプレート８４）を両側部にて横方向に直接支持する、横方向に離間した当接面がビンディング部分９２ａおよび９２ｂに設けられるように、後方ビンディングプレート９２をベース部材２２に装着した場合、ビンディング部分９２ａおよび９２ｂが形成する後方ビンディングプレート９２を任意にベース部材２２の一部として見なすことができる。
【００４５】
固定ガイド部材９４は、装着部分９０ａおよび９０ｂの後方縁部から上向きに延出している。したがって、これをベース部材２２に装着すると、固定ガイド部材９４はベース部材２２の上面２３ａに対して垂直に延出する。具体的に言えば、固定ガイド部材９４をベース部材２２に固定して、係止部材８２と固定ガイド部材９４との間にクリート挿入開口部を形成する。
【００４６】
固定ガイド部材９４のガイド部分９４ａおよび９４ｂそれぞれに、垂直なストッパ９５を形成する垂直部分と先細り部分９７を形成する傾斜部分とが設けられている。垂直なストッパ９５は、ビンディング部分９２ａと９２ｂとの間で回動自在に連結されている係止部材８２から後方に間隔をおいて位置している。この位置関係から、垂直なストッパ９５は、係止部材８２と固定ガイド部材９４との間にクリート挿入開口部を形成して、後方係止部分１４８が後方長手方向に移動することを防止している。言い換えれば、垂直なストッパ９５には、ガイド部分９５ａおよび９５ｂが形成する１対のストッパ面またはストッパ構成要素が設けられているため、スノーボードブーツ１４の後方係止部材１４８を係止部材８２と固定ガイド部材９４との間に形成されたクリート挿入開口部内に保持することができる。先細り部分９７は、後方係止部分１４８を後方ビンディング機構２６に係止する間、後方係止部分１４８を選択的に案内する部分である。
【００４７】
固定ガイド部材９４の先細り部分９７は、ストッパ９５の上方自由端に位置して、ストッパ９５の上方から後方に向けて傾斜している。この構造により、後方係止部分１４８が先細り部分９７に接触した時点で、その後方係止部分１４８を、係止部材８２と固定ガイド部材９４との間に形成されているクリート挿入開口部内に案内するための１対の案内面となっている。具体的に言えば、以下で説明する後方係止部分１４８の中間部分が選択的に先細り部分９７に接触する。接触した後、スノーボードブーツ１４の後方係止部分１４８が、係止部材８２と固定ガイド部材９４との間に形成されたクリート挿入開口部内に下向きに挿入されて、係止部材８２と係合する。
【００４８】
装着部分９０ａおよび９０ｂにはそれぞれ、取付け部材８０ａおよび８０ｂをベース部材２２に装着するための複数の装着穴９６ａおよび９６ｂが設けられている。具体的に言えば、装着部分９０ａには、先細り状の貫通穴である１対の装着穴９６ａが設けられており、装着部分９０ｂには、先細り状の貫通穴である１対の装着穴９６ｂが設けられている。
【００４９】
ビンディング部分９２ａおよび９２ｂには、その間に係止プレート８２、ラッチプレート８４および解放レバー８８を連結するための複数の穴または開口部が設けられている。ビンディング部分９２ａには、係止ピン穴９８ａ、付勢ピンスロット９９ａ、ラッチピン穴１００ａおよび付勢ピンスロット１０１ａが設けられており、ビンディング部分９２ｂには、係止ピン穴９８ｂ、付勢ピンスロット９９ｂ、ラッチピン穴１００ｂおよび付勢ピンスロット１０１ｂが設けられている。係止ピン穴９８ａおよび９８ｂを、好ましくは、互いに整合させて、その中心を係止回動軸Ａとする。同様に、ビンディング穴１００ａおよび１００ｂを、好ましくは、互いに整合させて、その中心をラッチ回動軸Ｂとする。付勢ピンスロット９９ａおよび９９ｂは、係止プレート８２が特定位置にくると、第１の付勢ピン９６ａと整合してこれを支持する。付勢ピンスロット１０１ａおよび１０１ｂも、好ましくは整合させて、第２の付勢ピン９６ｂを支持する。取付け部材８０ａおよび８０ｂをベース部材２２に装着すると、ビンディング部分９２ａおよび９２ｂは、好ましくは、後方スロット５６内にて相互に横方向に離れて位置して、係止プレート８２およびラッチプレート８４を収容するための空間を形成する。
【００５０】
係止ピン穴９８ａおよび９８ｂが係止回動軸ピン１０２を支持し、ラッチピン穴１００ａおよび１００ｂがラッチ回動軸ピン１０４を支持する。係止回動軸ピン１０２は、回動軸ピン１０２の各端部に形成された環状穴内に差込まれるＥクリップやＣクリップなどの１対のクリップ１０３により係止ピン穴９８ａおよび９８ｂに保持される。ラッチ回動軸１０４は、ラッチ回動軸ピン１０４の両端部に形成された環状穴内に差込まれるＥクリップやＣクリップなど、同様の１対のクリップ１０５によりラッチピン穴１００aおよび１００ｂに保持される。係止プレート８２は、ビンディング部分９２ａと９２ｂとの間で係止回動軸ピン１０２により回動自在に取付けられ、同様に、ラッチプレート８４は、ビンディング部分９２ａと９２ｂとの間でラッチ回動軸ピン１０４により回動自在に取付けられる。回動ピン１０２および１０４それぞれの長さを、好ましくは、約１１.６ｍｍとする。したがって、横方向に間隔をあけて位置する後方当接面５２ａおよび５２ｂが、回動ピン１０２および１０４の端部に選択的に接触して、後方ビンディング機構２６を横方向に支持し、これにより、回動ピン１０２および１０４が、後方ビンディング機構２６の取付け部材８０ａおよび８０ｂを横方向に支持する。
【００５１】
図３１で最もよくわかるように、係止部材またはプレート８２には基本的に、ピボット穴１１０、調節穴１１２、クリートまたは係止収容凹部１１４および３つの固定ノッチ１１５〜１１７が設けられている。ピボット穴１１０は、係止回動軸ピン１０２を中心に係止プレート８２を回動させるように、その中に係止回動軸ピン１０２を通過させる部分である。調節穴１１２は、以下でさらに詳細に説明するように、バネ９６ｃを係止プレート８２に連結するように、その中に付勢ピン８６ｂを通過させる部分である。クリート受け凹部１１４は、スノーボードブーツ１４の後方係止部分１４８を受けて保持するように設計されている。これについても以下で詳述する。係止プレート８２の厚さを、好ましくは、約４.０ｍｍとする。これを、図面で例示しているように、１つのプレートとして形成してもよいし、それぞれの厚さを約２.０ｍｍとする２つの同一プレート片から形成してもよい。いずれの場合も、係止プレート８２の各片を、好ましくは、図３１に例示した形状とする。
【００５２】
図１８〜２７でわかるように、調節穴１１２とピボット穴１１０との位置関係により、係止プレート８２は常時反時計回り方向で付勢されている。しかし、ラッチプレート８４は、乗り手がスノーボードビンディング１２内に足を入れた時点で、固定ノッチ１１５、１１６および／または１１７と選択的に係合するように構成されている。これにより、係止プレート８２を複数（３つ）のラッチ位置のいずれかに固定することができる。
【００５３】
図３２で最もよくわかるように、ラッチ部材またはプレート８４には基本的に、ピボット穴１２０、調節穴１２２、第１の係止係合歯１２４、第２の係止係合歯１２６、および解放ノッチ１２８が設けられている。ピボット穴１２０はラッチ回動軸ピン１０４を中に通過させる部分であり、調節穴１２２は、図１８〜２７でわかるように、バネ８６ｃを連結してラッチプレート８４を常時時計回り方向で付勢するために、付勢ピン８６ｂを中に通過させる部分である。第１の係止係合歯１２４は、係止プレート８２の固定ノッチ１１５、１１６および／または１１７に選択的に係合して、係止プレート８２をその３つのラッチ位置のいずれかに保持する構造となっている。ラッチプレート８４の厚さも、好ましくは、約４.０ｍｍとする。これを、図面で例示しているように、１つのプレートとして形成しても、それぞれの厚さを約２.０ｍｍとする２つの同一プレート片から形成してもよい。いずれの場合も、ラッチプレート８４の各片を、好ましくは、図３１に例示した形状とする。
【００５４】
第２の係合歯１２６は、第４の位置で係止プレート８２を保持するように設計されている。具体的に言えば、ラッチ部材がラッチ位置の１つにあり、乗り手がスノーボードブーツ１４をスノーボードビンディング１２から取出したい場合、解放レバー８８を動かして、バネ８６ｃの付勢力に逆らってラッチプレート８４を反時計回り方向に回転させる。ラッチプレート８４がこのように回動することにより、第１の係止係合歯１２４は、係止プレート８２の固定ノッチ１１５、１１６および１１７との係合から間隔をおいて離れる。すると、係止プレート８２は、バネ８６ｃの付勢力により、第２の係合歯１２６が固定ノッチ１１５と係合して係止プレート８２を第４の位置に保持するまで、反時計回り方向に回転する。係止プレート８２が第４の位置にきた時点で、第１の係止係合歯１２４は、固定ノッチ１１７から周方向時計回りに間隔をおいて位置する。このため、第４の位置では、解放レバー８８が解放されて第１の係止係合歯１２４が係止プレート８２に接触していても、第１の係止係合歯１２４は係止プレートを回転させることができる。これを、いわゆる後方ビンディング機構２６の休み位置または解放位置と見なすことができる。乗り手がスノーボードビンディング１２内に足を入れると、係止部材またはプレート８２が、好ましくは、この第４の休みまたは解放位置にくる。しかし、乗り手の足が下につくと、スノーボードブーツ１４の後方クリート１４８が係止プレート８２のクリート受け凹部１１４内に収容される。乗り手による下向きの力により、係止プレート８２が、第１〜第３のラッチ位置の１つまで時計方向に回転する。言い換えれば、第１の係止係合歯１２４および固定ノッチ１１５〜１１７は、後方クリート１４８がクリート受け凹部１１４にバネ８６ｃの付勢力を上回る力をかけると、係止プレート８２をバネ８６ｃの付勢力に逆らって第４の位置から第１〜第３の位置の１つまで時計回りに回転させることができるように設計されている。しかし、係止プレート８２が第４の位置から第１〜第３の位置まで回転して、後方クリート１４８から加えられる力がバネ８６ｃの付勢力より小さくなると、第１の係止係合歯１２４は、固定ノッチ１１５〜１１７の１つと係合して、係止プレート８２をこれに対応する位置にバネ８６ｃの付勢力により保持する（すなわち、係止プレート８２を反時計回りに回転させないようにする）。こうして、スノーボードブーツ１４の後方部分がスノーボードビンディング１２に連結される。
【００５５】
ラッチプレート８４の解放ノッチ１２８は、解放レバー８８の一部を中に受ける部分である。したがって、乗り手が解放レバー８８を解放位置まで移動させると、ラッチプレート８４がバネ８６ｃの付勢力に逆らって反時計回り方向に回転して、第１の係合歯１２４を、固定ノッチ１１５、１１６および１１７それぞれとの係合状態から外れるように移動させる。こうなれば、乗り手は、スノーボードブーツ１４の後方部分（すなわち、後方クリート１４８）を持上げれば、スノーボードブーツ１４をスノーボードビンディング１２から解放することができる。言い換えれば、第１の歯が固定ノッチ１１５〜１１７のいずれとの係合からも外れているため、係止プレート８２が反時計回り方向に回転できる状態となっている。したがって、クリート受け凹部１１４を上方に移動させて、スノーボードブーツ１４を解放することができる。
【００５６】
付勢ピン８６ａは、係止プレート８２の調節穴１１２内に挿入される。付勢ピン８６ｂは、ラッチプレート８４の調節穴１２２内に挿入され、ビンディング部分９２ａおよび９２ｂの付勢スロット１０１ａおよび１０１ｂ内に収容される。付勢ピン８６ｂは、ビンディングスロット１０１ａおよび１０１ｂの円弧に沿って移動できるサイズとなっており、付勢ピン８６ａは、ビンディングスロット９９ａおよび９９ｂの円弧に沿って移動できるサイズとなっている。コイルバネ８６ｃは、付勢ピン８６ａおよび８６ｂ双方の両端部に取付けられて、ピン８６ａおよび８６ｂを互いに向けて付勢している。したがって、係止プレート８２は常時反時計回り方向に付勢され、ラッチプレート８４は常時時計回り方向に付勢されている。
【００５７】
図３３〜図３５を参照すると、解放レバー８８は基本的に、ハンドル部分１３６、調節部分１３８、およびハンドル部分１３６と調節部分１３８との間に位置するピボット部分１４０を含む。ピボット部分１４０は、ベース部材でこれに対応するように切抜かれた部分５９および６９内に収容されて、そこで回転する。ハンドル部分１３６はピボット部分１４０に直角に延在しており、スノーボード１６の乗り手が動かすように設計された部分である。調節部分１３８は、ピボット部分１４０からおよそ１１５度の角度で延在しており、後方スロット５６内にてラッチプレート８４に係合している。具体的に言えば、調節部分１３８は、ラッチプレート８４の解放ノッチ１２８内に収容されて、ラッチプレート８４を、ラッチ回動軸ピン１０４を中心に選択的に移動／回転させる。切抜き部分５９および６９は、解放レバー８８のピボット部分１４０を回転自在に収容する構造となっている。調節部分１３８の自由端は、ラッチプレート８４の解放ノッチを円滑に係合するように設計されている。好ましくは、解放レバーを、金属材料などの硬質剛性材料で製造する。また、ハンドル部分１３６および調節部分１３８をピボット部分１４０に対して角度をつけて設けた構造により、解放レバーを切抜き５９および６９内に保持する。
【００５８】
次に図１、図１５および図２８〜図３０を参照すると、保護カバー８９は、プラスチックまたはゴムで製造することが好ましい単一部材である。保護カバー８９は、ベース部材２２の後方当接部分５２に摩擦連結されて、ポケットを形成するものである。後方ビンディング機構２６は実質的にこのポケット内に配置される。保護カバー８９には、スロット５６をカバーするように後方当接部分５２の穴５８内に摩擦保持される４つの突起８９ａが形成されている。保護カバー８９はまた、ラッチプレート８４を完全にこのポケット内に配置し、クリート挿入開口部内に位置する係止プレート８２の一部をポケットの解放一端部から延出させるように、配置および構成されている。
【００５９】
次に図２および図３６〜図３９を参照しながら、スノーボードブーツ１４について詳述する。スノーボードブーツ１４は基本的に、ソール部分または部材１４２と、アッパー部分１４４と、前方クリートまたは係止１４６と、後方クリートまたは係止１４８とを含む。前方および後方係止部分１４６および１４８は、ソール部分１４２に装着された連結部材であり、上述したように、スノーボードビンディング１２に解放自在に連結できるように構成されている。
【００６０】
本発明によるスノーボードブーツ１４は、好ましくは、比較的軟らかいまたは可撓性を備えたスノーボードブーツである。従来技術においてソフトスノーボードブーツは周知であるため、本明細書では、これについての詳しい説明および例示を省略する。スノーボードブーツ１４についても、本発明のスノーボードビンディングシステム１０に関連する点を除き、本明細書では、これについての詳しい説明および例示を省略する。通常、ソフトスノーボードブーツは、硬いゴム状材料で製造されたソール部分と、プラスチック材料および／または合成材料などのさまざまな材料で形成された可撓性アッパー部分とを備えている。したがって、スノーボードブーツ１４のアッパー部分１４４を、やや可撓性にしなければならない。
【００６１】
図１および図３６を再度参照すると、スノーボードブーツ１４の上方部材または部分１４４は基本的に、ソール部分１４２に装着された足部分１４４ａと、足部分１４４ａから上向きに延出した脚部分１４４ｂとを含んでいる。足部分１４４ａをソール部材に装着するには、接着剤または、ソール部分１４２（例えばアウトソール）の成形や接合などの適した技術のいずれかを用いることができる。本発明において、スノーボードブーツ１４のソール部分１４２をアッパー部分１４４に装着する方法は重要ではない。当業者には本開示内容から、アッパー部分１４４を従来の製造技術および材料により従来通り製造できることが明白であろう。したがって、アッパー部分１４４についての詳細についての詳細な説明および／または例示も省略する。
【００６２】
スノーボードブーツ１４のソール部分１４２は基本的に、図３７に示すように、アウトソール１５０と、ミッドソール１５２とを含む。ミッドソール１５２は、好ましくは、アウトソール１５０より硬い材料で製造する。具体的に言えば、ミッドソール１５２をプラスチックなどの剛性材料で製造し、アウトソール１５０を、好ましくは、ミッドソール１５２よりやや軟らかい剛性ゴムなどの剛性材料で製造する。アウトソール１５０は、ミッドソール１５２およびアッパー部分１４４の一部と実質的に重なり合っている。
【００６３】
図２でわかるように、前方および後方係止部分１４６および１４８は、ソール部分１４２から下向きに延出しており、スノーボードビンディング１２の前方および後方ビンディング部材２４および２６とそれぞれ係合する構造になっている。好ましくは、前方および後方係止部分１４６および１４８をミッドソール１５２に直接固定し、そのミッドソール１５２の上に、前方および後方係止部分１４６および１４８の周囲領域を除いて、アウトソール１５０を重ね合わせる。前方および後方係止部分１４６および１４８については以下で詳述する。
【００６４】
図２および図３７でわかるように、ミッドソール１５２は基本的に、つま先部分１５４、踵部分１５６、およびつま先部分１５４と踵部分１５６の間とに位置する中央部分１５８を含む。いずれの場合も、このミッドソール１５２を、好ましくは単一部材として一体形成して、前方および後方係止部分１４６および１４８をこれに装着する。スノーボードブーツ１４の長手方向中心線Ｚは、このつま先部分１５４と踵部分１５６との間に延在している。
【００６５】
また、ミッドソール１５２は上面１５３ａと下面１５３ｂとを有している。下面１５３ｂは、つま先部分１５４、踵部分１５６および中央部分１５８を構成する部分である。言い換えれば、下面１５３ｂが、ミッドソール１４２のベース部分または構成要素を構成するつま先部分１５４、踵部分１５６および中央部分１５８を構成している。任意に、側部支持壁部または構成要素（図示せず）を、乗り手の足を横方向および長手方向に支持できるように、ミッドソール１５２のこのベース部分または構成要素から上向きに延出させる。しかし、本発明において、この側部支持壁部または構成要素の構造は重要ではない。
【００６６】
上述したように、ミッドソール１５２のつま先部分１５４は、これに前方係止部分１４６を連結させられる構造となっている。具体的には、図３８で最もよくわかるように、つま先部分１５４に、横方向に離れて位置する１対の取付け穴１６０と、１対の支持突起１６２ａおよび１６２ｂを形成し、横方向に離れて位置する１対の凹部１６２とが設けられている。取付け穴１６０は、ミッドソール１５２のつま先部分１５４内を貫通して延在しており、凹部１６２は、前方係止部分１４６の一部をその中に収容するように設計されている。この穴１６０および凹部１６２を互いに整合させて、それぞれから等間隔にある中心線を中心にして互いに左右対象にする。
【００６７】
支持突起１６２ａおよび１６２ｂを、好ましくは、単一部材としてつま先部分１５４と一体形成する。支持突起１６２ａおよび１６２ｂは、横方向に間隔をおいて、スノーボードブーツ１４の中心線Ｚの両側に位置している。取付け穴１６０も、互いに間隔をおいて、支持突起１６２ａおよび１６２ｂの外側に位置している。支持突起１６２ａおよび１６２ｂそれぞれは、前方係止部分１４６の断面形状に対応する形状である横方向対向面を有し、前方係止部分１４６をスノーボードブーツ１４の長手方向軸または中心線Ｚに対して前方および後方移動させないように、配置および構成されている。
【００６８】
図３９に示すように、ミッドソール１５２の踵部分１５６に、１対の取付け穴１８０と、１対の支持突起１８２とが設けられている。支持突起１８２は、単一部材として踵部分１５６と一体形成されている。支持突起１８２は、横方向に間隔をおいて、スノーボードブーツ１４の中心線Ｚの両側に位置している。取付け穴１８０も、互いに間隔をおいて、支持突起１８２ａおよび１８２ｂの外側に位置している。各支持突起１８２は、後方係止部分１４８の断面形状に対応する形状である横方向対向面を有し、後方連結部材または係止１４８をスノーボードブーツ１４の長手方向軸または中心線Ｚに対して前方および後方移動させないように、配置および構成されている。
【００６９】
図４０〜図４３でわかるように、前方係止部分１４６は、シート金属などのシート材料をパンチングまたはスタンピングした後、曲げ加工を施して、図面に例示した所望形状にすることにより形成されている。前方係止部分１４６は、横方向に離れて位置する１対の取付けフランジ１６４と、実質的にＵ字型であり取付けフランジ１６４から下向きに延出している係止部分１６６とを含む。したがって、Ｕ字型係止部分１６６は、ソール部分１４２の底面から下向きに延出し、横方向に間をおいて位置する脚部分と、その脚部分の間で横方向に延在する中間部分とを含む。係止部分１６６は、前方爪７４を挿入できるように、約２８.０ｍｍ幅の長手方向通路を形成している。支持突起１６２ａおよび１６２ｂ（図３８参照）は、前方連結部材または係止１４６の係止部分１６６が含む脚部分を、スノーボードブーツ１４の長手方向軸または中心線Ｚに対して前方および後方に移動させないように固定する配置および構成になっている。この支持突起１６２ａおよび１６２ｂは、脚部分の両端部に接触して、前方係止部分１４６の係止部分１６６が長手方向軸Ｚに対して横方向に移動しないようにさらに確実に固定する役割を果たしている。
【００７０】
取付けフランジ１６４のサイズおよび形状は、つま先部分１５４に形成された凹部１６２のサイズおよび形状に対応したものである。また、取付けフランジ１６４それぞれに、中央開口部１６５が形成されており、この開口部は、取付けフランジ１６４が凹部１６２内に配置されると取付け穴１６０の１つと整合する。好ましくは、図３８でわかるように、取付けフランジ１６４それぞれを、ビス１６８およびクリートナット１７０により凹部１６２それぞれに装着する。
【００７１】
各ビス１６８は、ミッドソール１５２の底面から取付ける構造になっている。図４４〜４６でわかるように、ビス１６８は基本的に、ネジを切ったシャフトと、シャフトに向けて先細り表面を具備するヘッドとからなる。一方、図４７〜図５０でわかるように、クリートナット１７０は、取付けヘッドプレート１７２と、そこから延出するビス収容部分１７４とを含む。ビス収容部分１７４には、ビス１６８のシャフトに螺合するように構成された雌ねじ付き内腔が設けられている。取付けプレート１７２には、締付け工具（図示せず）と係合するように設計された４つの穴または凹部が等間隔で設けられており、これにより、ビス１６８を回転させると同時にクリートナット１７０を回転させるおよび／または保持することができる。クリートナット１７０はまた、以下でさらに詳細に説明するように、後方係止部分１４８を併用できる設計となっている。いずれの場合も、好ましくは、ビス１６８とクリートナット１７０との間のネジ接合部分に、ネジ固定用または緩み防止用化合物を適用する。これにより、組立て後にビス１６８が緩まないようにする。
【００７２】
図５１〜図５３でわかるように、後方係止部分１４８は基本的に、１対の脚部分１８４と、１対の脚部分１８４間に延在する中間部分１８６とを含む。好ましくは、後方係止部分１４８を、断面を円形とする１つの金属棒として形成した後、これを所望形状に折り曲げる。脚部分１８４の自由端部に、好ましくは、ネジを切ることにより、これを１対のクリートナット１７０内にねじ付けて、脚部分１８４を踵部分１５６の取付け穴１８０内に固定できるようにする。脚部分は、横方向に空間をおいて位置して、係止プレート８４の一部を挿入できるように、幅を約４４.０ｍｍとする長手方向貫通路を形成している。
【００７３】
脚部分１８４は、中間部分１８６に対して直角に延在しているが、脚部分１８４と中間部分１８６との間には、湾曲した移行領域がある。各支持突起１８２には、後方係止部分１４８の断面に対応した形状で、横方向に向いた湾曲面が設けられている。言い換えれば、各支持突起１８２には、そこから横方向外向きの円形凹状面が設けられている。同様に、各支持突起１８２には、下向きで、後方係止部分１４８の中間部分１８６の一部に接触するように構成された別の円形凹状面が設けられている。この構造により、支持突起１８２は、脚部分１８４および中間部分１８６を、踵部分１５６に対して長手方向に移動しないように支持することができる。
【００７４】
２つのクリートナット１７０を用いて、後方係止部分１４８をミッドソール１５２に連結する。具体的に言えば、好ましくは、脚部分１８４と、脚部分１８４に螺合させたクリートナット１７０とにネジ固定用または緩み防止用化合物を適用して、後方係止部分１４８をソール部分１４２に固定連結させる。
【００７５】
［第２実施形態］
ここで図５４〜５９を参照しながら、本発明の第２実施形態によるスノーボードビンディングシステム２１０について説明する。第２実施形態によるスノーボードビンディングシステム２１０は基本的に、スノーボードビンディング２１２とスノーボードブーツ２１４とを含む。スノーボードブーツ２１４は、第１実施形態によるスノーボードブーツ１４と同じであるため、スノーボードブーツ２１４ についての詳細な説明および／または例示は省略する。しかし、スノーボードビンディング２１２には、本発明による変形ベース部材２２２が設けられている。具体的に言えば、変形ベース部材２２２は、変形前方当接部分２４２と、変形後方当接部分２５２とを含む。これ以外の点について、スノーボードビンディング２１２は、第１実施形態によるスノーボードビンディング１２と同じである。したがって、スノーボードビンディング２１２は基本的に、変形ベース部材２２２、前方ビンディング部材または機構２２４、後方ビンディング部材または機構２２６、ヒールカップ２２８およびハイバック２３０を含む。ヒールカップ２２８およびハイバック２３０はそれぞれ、第１実施形態によるヒールカップ２８およびハイバック３０と同じである。前方および後方ビンディング部材または機構２２４および２２６も、第１実施形態による前方および後方ビンディング部材または機構２４および２６と同じであるが、変形前方後方当接部分２４２および２５２が第１実施形態とは異なるため、別の方法で取付けられている。
【００７６】
第２実施形態と第１実施形態との類似点を考慮して、第２実施形態についての詳細な説明および／または例示は省略し、以下では、第２実施形態と第１実施形態との違いについて主に記載する。しかし、当業者には本開示内容から、以下に説明する点を除き、第１実施形態の構成要素／部品およびその動作に対する記載および／または例示がこの第２実施形態にも当てはまることが明白であろう。また、第１実施形態の構成要素／部品およびその動作に類似した第２実施形態の構成要素／部品およびその動作についての説明も、以下に説明する点を除き、省略する。言い換えれば、本明細書では、第１実施形態とは構造および機能において異なる、第２実施形態の構成要素および動作についてのみ詳しく説明する。
【００７７】
上述したように、変形ベース部材２２２は、本発明の第２実施形態による変形前方当接部分２４２および変形後方当接部分２５２を含む。具体的に言えば、ベース部材２２２には、ベースプレート２２１とは別個の部材である変形前方当接部分２４２および変形後方当接部分２５２が具備されている。基本的に、ベースプレート２２１は、第１実施形態によるベース部材２２と同じであるが、第１実施形態による前方当接部分４２および後方当接部分５２が設けられておらず、代わりに、以下で説明するように、別個のプラスチック製当接部分２４２および２５２が形成されている。したがって、ベースプレート２２１には、前方当接部分２４２および後方当接部分２５２をそれぞれ収容するように、変形前方部分２３２および変形後方部分２３４が具備されている。このベースプレート２２１を、好ましくは、アルミニウムまたはアルミニウム合金などの金属シート材料にスタンピング、鋳造、機械加工および／または曲げ加工を施して形成する。ベース部材２２２の他の部分は、本明細書で説明および例示する点を除き、第１実施形態によるベース部材２２と同じ、または実質的に同じである。
【００７８】
前方部分２３２は基本的に、上面２３３ａおよび下面２３３ｂを備え、複数（４つ）の先細り貫通穴２３３ｃを形成した平坦な部材であり、第１実施形態の前方部分３２とは異なり、凹部やスロットは形成されていない。同様に、後方部分２３４は基本的に、上面２３５ａおよび下面２３５ｂを備え、複数（４つ）の先細り貫通穴２３５ｃを形成した平坦な部材であり、第１実施形態の前方部分３４とは異なり、凹部やスロットは形成されていない。前方部分２３２および後方部分２３４は、前方および後方ビンディング部材２２４および２２６をそれぞれ、前方および後方当接部分２４２および２５２を介して上面２３３ａおよび下面２３５ａに連結させる設計となっている。
【００７９】
前方当接部分２４２は、前方凹部２４４、前方スロット２４６、およびベースプレート２２１の前方部分２３２に前方ビンディング部材２２４を装着させるように構成された複数（４つ）の階段状貫通穴２４８を含む。前方スロット２４６は、第１実施形態の前方スロット４６と同じ構造である。前方凹部２４４も、第１実施形態の前方凹部４４と同じ構造であるが、前方凹部２４４は、前方当接部分２４２の下面に形成されている。したがって、前方ビンディング部材２２４は、第１実施形態と同様に、前方凹部２４４および前方スロット２４６内に取付けられる。この前方ビンディング部材２２４および前方当接部分２４２を、複数（４本）のボルト２７８ａおよび複数（４つ）のナット２７８ｂを用いて、ベースプレート２２１の前方部分２３２に連結する。
【００８０】
後方当接部分２５２は、後方凹部２５４、後方スロット２５６、およびベースプレート２２１の後方部分２３４に後方ビンディング部材２２６を装着させるように構成された複数（４つ）の階段状貫通穴２５８を含む。後方スロット２５６は、第１実施形態の後方スロット５６と同じ構造である。後方凹部２５４も、第１実施形態の後方凹部５４と同じ構造であるが、後方凹部２５４は、後方当接部分２５２の下面に形成されている。したがって、後方ビンディング部材２２６は、第１実施形態と同様に、後方凹部２５４および後方スロット２５６内に取付けられる。この後方ビンディング部材２２６および後方当接部分２５２を、複数（４本）のボルト２７８ａおよび複数（４つ）のナット２７８ｂを用いて、ベースプレート２２１の後方部分２５２に連結する。
【００８１】
［第３実施形態］
次に図６０〜６３を参照しながら、本発明の第３実施形態による変形スノーボードビンディングシステムの部品について説明する、第３実施形態による変形スノーボードビンディングシステムは基本的に、変形スノーボードビンディング３１２と変形スノーボードブーツ３１４とを含むものであり、基本的に、第３実施形態は、ビンディング構造が逆向きである点を除き、第１実施形態と同じである。
【００８２】
上述した第３実施形態と第１実施形態との類似点を考慮して、第３実施形態についての詳細な説明および／または例示は省略し、以下では、第３実施形態と第１実施形態との違いについて主に記載する。しかし、当業者には本開示内容から、以下に説明する点を除き、第１実施形態の構成要素／部品およびその動作に対する記載および／または例示がこの第３実施形態にも当てはまることが明白であろう。また、第１実施形態の構成要素／部品およびその動作に類似した第３実施形態の構成要素／部品およびその動作についての説明も、以下に説明する点を除き、省略する。言い換えれば、本明細書では、第１実施形態とは構造および機能において異なる、第３実施形態の構成要素および動作についてのみ詳しく説明する。
【００８３】
第３実施形態のスノーボードブーツ３１４は、第１実施形態のスノーボードブーツ１４と同じであるが、第１実施形態の前方係止部分４６が第３実施形態の後方係止部分３４６となり、第１実施形態の後方係止部分４８が第３実施形態の前方係止部分３４８となっている。言い換えれば、係止部分３４６および３４８が第１実施形態の係止部分４６および４８と同じであるが、係止部分３４６および３４８は、スノーボードブーツ３１４の反対の端部に取付けられている。したがって、スノーボードブーツ３１４に、好ましくは、係止部分３４６および３４８の構造を収容できる変形ソール３４２とアッパー部分（図示せず）とを設ける。具体的に言えば、変形ソール部分に、アウトソール３５０と変形ミッドソール３５２とを設け、このミッドソールの具体的構成要素それぞれを逆向きにして、係止部分３４６および３４８を第１実施形態と同様に連結できるようにする。
【００８４】
スノーボードビンディング３１２は、本発明による変形ベース部材３２２を含む。具体的に言えば、変形ベース部材３２２は、変形前方当接部分３４２と変形後方当接部分３５２とを含む。この他の点について、スノーボードビンディング３１２は、第１実施形態によるスノーボードビンディング１２と同じである。したがって、スノーボードビンディング３１２は基本的に、変形ベース部材３２２、前方ビンディング部材または機構３２４および 後方ビンディング部材または機構３２６を含み、第１実施形態によるヒールカップ２８およびハイバック３０と併用できるように設計されている。この第３実施形態において、前方ビンディング部材または機構３２４は、第１実施形態の後方ビンディング部材または機構２６と同じであり、後方ビンディング部材または機構３２６は、第１実施形態の前方ビンディング部材または機構２４と同じである。
【００８５】
このビンディング部材３２４および３２６を収容するため、ベース部材３２２に、第１実施形態の後方部分３４と同じ前方部分３３２と、第１実施形態の前方部分３２と実質的に同じである後方部分３３４とを設ける。
【００８６】
本明細書でいう「実質的に」「約」および「およそ」などの程度を示す用語は、最終結果が大幅に変化しない程度に、こうした用語に修飾された条件に妥当量の偏差を含むことを意味している。こうした程度を示す用語が、その用語で修飾する条件の意味を否定するものでない場合には、これらの用語を、修飾された条件に対する少なくとも±５％の偏差を含むものとして解釈すべきである。
【００８７】
以上、選択した実施形態のみを用いて本発明を例示してきたが、当業者であれば、添付した請求の範囲に定める本発明の範囲を逸脱することなく、さまざまな変更および修正を本明細書に加えられることが明白であろう。さらに、本発明による実施形態に関する上述は例示のみを目的とするものであって、添付した請求の範囲およびその等価物によって定められる本発明を制限するものではない。
【図面の簡単な説明】
【００８８】
【図１】本発明の第１実施形態による、スノーボードビンディングを連結したスノーボードの一部と、そのスノーボードビンディングに連結させようとしているスノーボードブーツとを示す部分的分解組立斜視図である。
【図２】図１に例示したスノーボードブーツおよびスノーボードビンディングのミッドソール部分を示す長手方向断面図である。
【図３】図１および図２に例示したスノーボードビンディング用のベース部材を示す平面図である。
【図４】図１および図２に例示したスノーボードビンディング用の、図３に例示したベース部材を示す側面図である。
【図５】図１および図２に例示したスノーボードビンディング用の、図３および図４に例示したベース部材を示す長手方向断面図であり、図３の線分５−５を通る断面から見た図である。
【図６】図１および図２に例示したスノーボードビンディング用の、図３〜図５に例示したベース部材の前方部分を示す部分底面図である。
【図７】図１および図２に例示したスノーボードビンディング用の、図３〜図６に例示したベース部材の後方部分を示す部分底面図である。
【図８】図１および図２に例示したスノーボードビンディング用の、図３〜図７に例示したベース部材の中央リブ内側部分を示す部分断面図であり、図３の線分８−８を通る断面から見た図である。
【図９】図１および図２に例示したスノーボードビンディング用の、図３〜図８に例示したベース部材の前方部分を示す部分的横断方向断面図であり、図３の線分９−９を通る断面から見た図である。
【図１０】図１および図２に例示したスノーボードビンディング用の、図３〜図９に例示したベース部材の後方部分を示す部分的横断方向断面図であり、図３の線分１０−１０を通る断面から見た図である。
【図１１】ベース部材の前方部分に具備される前方ビンディング部材を示す部分的分解組立側面図であり、便宜上断面として示している。
【図１２】図１および図２に例示したスノーボードビンディング用の、図１１に例示した前方ビンディング部材を示す分解組立平面図である。
【図１３】図１１および図１２に例示した前方ビンディング部材を示す第１の側面図である。
【図１４】図１１〜図１３に例示した前方ビンディング部材を示す第２の側面図である。
【図１５】ベース部材の後方部分に具備される後方ビンディング部材または機構を示す部分的分解組立側面図であり、便宜上断面として示している。
【図１６】図１および図２に例示したスノーボードビンディング用の、図１５に例示した後方ビンディング機構を示す平面図である。
【図１７】図１および図２に例示したスノーボードビンディング用の、図１５および図１６に例示した後方ビンディング機構を示す側面図である。
【図１８】スノーボードブーツの後方係止部分またはクリートが後方ビンディング機構に連結されるところである後方ビンディング機構を示す線図である。
【図１９】スノーボードブーツの後方係止部分またはクリートが後方ビンディング機構の係止プレートに接触した状態である後方ビンディング機構を示す線図である。
【図２０】後方係止部分またはクリートが第１のクリート係合またはラッチ位置に掛け止めされた状態である後方ビンディング機構を示す線図である。
【図２１】後方係止部分またはクリートが第２のクリート係合またはラッチ位置に掛け止めされた状態である後方ビンディング機構を示す線図である。
【図２２】後方係止部分またはクリートが第３のクリート係合またはラッチ位置に掛け止めされた状態である後方ビンディング機構を示す線図である。
【図２３】ラッチプレートが解放位置に移動しており、係止プレートが第３のクリート係合またはラッチ位置から移動する前の状態である後方ビンディング機構を示す線図である。
【図２４】ラッチプレートが解放位置にあり、スノーボードブーツの後方係止部分が解放される直前の状態である後方ビンディング機構を示す線図である。
【図２５】スノーボードブーツの後方係止部分が後方ビンディング機構から完全に外れた状態である、解放位置にある後方ビンディング機構を示す線図である。
【図２６】図１および図２に示したスノーボードビンディング用の、図１５〜図１７に例示した後方ビンディング機構に使用する第１の取付け部材を示す側面図である。
【図２７】図１および図２に示したスノーボードビンディング用の、図１５〜図１７に例示した後方ビンディング機構に使用する第２の取付け部材を示す側面図である。
【図２８】図１および図２に示したスノーボードビンディング用の、図１５〜図１７に例示した後方ビンディング機構に使用する保護カバーを示す端面図である。
【図２９】図１および図２に示したスノーボードビンディング用の、図１５〜図１７に例示した後方ビンディング機構に使用する、図２８に例示した保護カバーを示す平面図である。
【図３０】図１および図２に示したスノーボードビンディング用の、図１５〜図１７に例示した後方ビンディング機構に使用する、図２８および図２９に例示した保護カバーを示す側面図である。
【図３１】図１および図２に示したスノーボードビンディング用の、図１５〜図１７に例示した後方ビンディング機構の係止プレートを示す側面図である。
【図３２】図１および図２に示したスノーボードビンディング用の、図１５〜図１７に例示した後方ビンディング機構のラッチプレートを示す側面図である。
【図３３】図１および図２に示したスノーボードビンディング用の、図１５〜図１７に例示した後方ビンディング機構の解放レバーを示す平面図である。
【図３４】図１および図２に示したスノーボードビンディング用の、図１５〜図１７に例示した後方ビンディング機構に具備する、図３３に例示した解放レバーの係合端部を示す側面図である。
【図３５】図１および図２に示したスノーボードビンディング用の、図１５〜図１７に例示した後方ビンディング機構に具備する、図３３および図３４に例示した解放レバーの係合端部を示す軸方向端面図である。
【図３６】図１に例示したスノーボードブーツを示す底部斜視図である。
【図３７】前方および後方係止部分を連結させたミッドソールを示す底面図である。
【図３８】ミッドソールのつま先部分と前方係止部分とを、ミッドソールの一部を便宜上断面として示す部分正面図である。
【図３９】ミッドソールの踵部分と後方係止部分とを、ミッドソールの一部を便宜上断面として示す部分背面図である。
【図４０】図３６に例示したスノーボードブーツ用前方係止部分を示す平面図である。
【図４１】図３６に例示したスノーボードブーツ用の、図４０に例示した前方係止部分を示す正面図である。
【図４２】図３６に例示したスノーボードブーツ用の、図４０および図４１に例示した前方係止部分を示す底面図である。
【図４３】図４２の線分４３−４３を通る断面から見た、図４０〜図４２に例示した前方係止部分を示す断面図である。
【図４４】図３６に例示したスノーボードブーツの前方係止部分に用いるビスの１つを示す軸方向端面図である。
【図４５】前方係止部分を図３６に例示したスノーボードブーツに固定するための、図４４に例示したビスを示す側面図である。
【図４６】前方係止部分を図３６に例示したスノーボードブーツに装着するための、図４４および図４５に例示したビスを示す反対側軸方向端面図である。
【図４７】図３６に例示したスノーボードブーツの前方および後方係止部分に用いるクリートナットの１つを示す軸方向端面図である。
【図４８】前方および後方係止部分を図３６に例示したスノーボードブーツに装着するための、図４７に例示したクリートナットを示す側面図である。
【図４９】前方および後方係止部分を図３６に例示したスノーボードブーツに装着するための、図４７および図４８に例示したクリートナットを示す反対側軸方向端面図である。
【図５０】図４９の線分５０−５０を通る断面から見た、図４７〜図４９に例示したクリートナットを示す断面図である。
【図５１】図３６に例示したスノーボードブーツ用後方係止部分またはクリートを示す平面図である。
【図５２】図３６に例示したスノーボードブーツ用の、図５１に例示した後方係止部分を示す側面図である。
【図５３】図３６に例示したスノーボードブーツ用の、図５１および図５２に例示した後方係止部分を示す側面図である。
【図５４】本発明の第２実施形態による、スノーボードビンディングを連結したスノーボードの一部と、そのスノーボードビンディングに連結させようとしているスノーボードブーツとを示す部分的分解組立斜視図である。
【図５５】本発明による、図１に例示したスノーボードビンディングのベース部材を示す平面図である。
【図５６】図１に例示したスノーボードビンディングの後方当接部分を示す平面図である。
【図５７】図１に例示したスノーボードビンディングの前方当接部分を示す平面図である。
【図５８】ベース部材の前方部分を便宜上断面として示す、前方ビンディング部材を示す部分的分解組立側面図である。
【図５９】ベース部材の後方部分を便宜上断面として示す、後方ビンディング部材を示す分解組立側面図である。
【図６０】本発明の第３実施形態によるスノーボードビンディングのベース部材を示す平面図である。
【図６１】ベース部材の後方部分を図６０の線分６１−６１を通る断面から見た断面として示した、本発明の第３実施形態によるスノーボードビンディングの後方ビンディング部材を示す分解組立側面図である。
【図６２】ベース部材の前方部分を図６０の線分６１−６１を通る断面から見た断面として示した、本発明の第３実施形態による前方ビンディング部材または機構を示す分解組立側面図である。
【図６３】本発明の第３実施形態による、前方および後方係止部分を連結したスノーボードブーツのミッドソールを示す底面図である。
【符号の説明】
【００８９】
１０，２１０  スノーボードビンディングシステム
１２，２１２  スノーボードビンディング
１４，２１４  スノーボードブーツ
１６  スノーボード、
１８  調節ディスク
２２  ベース部材
２４，２２４，３２４  前方ビンディング部材
２６，２２６，３２６  後方ビンディング機構
３２  前方部分
３４  後方部分
３６  中央部分
４２  前方当接部分
４２ａ，４２ｂ  前方当接面
４４，２４４  前方凹部
４６，２４６  前方スロット
５２  後方当接部分
５２ａ，５２ｂ  後方当接面
５４，２５４  後方凹部
５６，２５６  後方スロット
６０  中央装着開口部
６２  中央リブ
７０  前方装着プレート
７２  前方ビンディングプレート
７３ａ，７３ｂ  前方ビンディング部分
７４  移動不能型前方爪
９０  後方装着プレート
９０ａ，９０ｂ  装着部分
９２  後方ビンディングプレート
２２１  ベースプレート
２２２，３２２  変形ベース部材
２３２  変形前方部分
２３４  変形後方部分
２４２，３４２  変形前方当接部分
２５２，３５２  変形後方当接部分
３１２  変形スノーボードビンディング
３１４  変形スノーボードブーツ
【図１】
2004230161.tif 000003
【図２】
2004230161.tif 000004
【図３】
2004230161.tif 000005
【図４】
2004230161.tif 000006
【図５】
2004230161.tif 000007
【図６】
2004230161.tif 000008
【図７】
2004230161.tif 000009
【図８】
2004230161.tif 000010
【図９】
2004230161.tif 000011
【図１０】
2004230161.tif 000012
【図１１】
2004230161.tif 000013
【図１２】
2004230161.tif 000014
【図１３】
2004230161.tif 000015
【図１４】
2004230161.tif 000016
【図１５】
2004230161.tif 000017
【図１６】
2004230161.tif 000018
【図１７】
2004230161.tif 000019
【図１８】
2004230161.tif 000020
【図１９】
2004230161.tif 000021
【図２０】
2004230161.tif 000022
【図２１】
2004230161.tif 000023
【図２２】
2004230161.tif 000024
【図２３】
2004230161.tif 000025
【図２４】
2004230161.tif 000026
【図２５】
2004230161.tif 000027
【図２６】
2004230161.tif 000028
【図２７】
2004230161.tif 000029
【図２８】
2004230161.tif 000030
【図２９】
2004230161.tif 000031
【図３０】
2004230161.tif 000032
【図３１】
2004230161.tif 000033
【図３２】
2004230161.tif 000034
【図３３】
2004230161.tif 000035
【図３４】
2004230161.tif 000036
【図３５】
2004230161.tif 000037
【図３６】
2004230161.tif 000038
【図３７】
2004230161.tif 000039
【図３８】
2004230161.tif 000040
【図３９】
2004230161.tif 000041
【図４０】
2004230161.tif 000042
【図４１】
2004230161.tif 000043
【図４２】
2004230161.tif 000044
【図４３】
2004230161.tif 000045
【図４４】
2004230161.tif 000046
【図４５】
2004230161.tif 000047
【図４６】
2004230161.tif 000048
【図４７】
2004230161.tif 000049
【図４８】
2004230161.tif 000050
【図４９】
2004230161.tif 000051
【図５０】
2004230161.tif 000052
【図５１】
2004230161.tif 000053
【図５２】
2004230161.tif 000054
【図５３】
2004230161.tif 000055
【図５４】
2004230161.tif 000056
【図５５】
2004230161.tif 000057
【図５６】
2004230161.tif 000058
【図５７】
2004230161.tif 000059
【図５８】
2004230161.tif 000060
【図５９】
2004230161.tif 000061
【図６０】
2004230161.tif 000062
【図６１】
2004230161.tif 000063
【図６２】
2004230161.tif 000064
【図６３】
2004230161.tif 000065